(57)【要約】【課題】  ホームエージェント機能を有するホームターミナル及び着信転送サービスシステムに関し、登録された端末の所在位置情報に従って着信転送する。【解決手段】  端末の所在情報を管理する所在管理機能部１３と、配下のＩＰ電話機２と他の電話機５との間の通信処理及び他の電話機５からＩＰ電話機２に対する着信のＩＰパケットを、所在管理機能部１３により管理する端末の所在情報に従った気付アドレスを含むヘッダによりカプセル化して転送処理し、端末からのカプセル化したＩＰパケットをデカプセル化して、他の電話機５に送信処理するホームエージェント機能部１１と、他のホームターミナルの配下の端末の位置登録要求の処理を行うフォーリンエージェント機能部１２とを備えたホームターミナル１０と、このホームターミナル１０をインターネットに接続して、所望の端末に着信転送する。【選択図】        図２
2006042228.tif 000002
【特許請求の範囲】
【請求項１】
インターネット通信に於けるホームエージェント機能を有するホームターミナルに於いて、
端末の所在情報を管理する所在管理機能部と、
配下のＩＰ電話機と他の電話機との間の通信処理及び前記他の電話機から前記ＩＰ電話機に対する着信のＩＰパケットを、前記所在管理機能部により管理する前記端末の所在情報に従った気付アドレスを含むヘッダによりカプセル化して転送処理し、前記端末からのカプセル化したＩＰパケットをデカプセル化して前記他の電話機に送信処理するホームエージェント機能部と、
他のホームターミナルの配下の端末の位置登録要求の可否を判定し、可の場合に位置登録応答を前記位置登録要求の端末に送信し、且つ前記端末の所在情報を前記所在管理機能部に登録するフォーリンエージェント機能部と
を備えたことを特徴とするホームターミナル。
【請求項２】
前記ホームエージェント機能部は、前記他の電話機からの着信を前記ＩＰ電話機に着信させると共に、前記所在管理機能部に於いて所在情報を登録した全端末に対して転送し、最初の応答に対して前記他の電話機との間の接続処理を実施する構成を有することを特徴とする請求項１記載のホームターミナル。
【請求項３】
前記所在管理機能部は、前記端末からの位置登録要求に従った所在情報を、当該ホームターミナルからの距離の遠近の順序に従って管理する構成を有し、前記ホームエージェント機能部は、前記所在管理機能部により管理する端末の距離が近い順に従って前記他の電話機からの着信を順次転送処理する構成を有することを特徴とする請求項１記載のホームターミナル。
【請求項４】
ＩＰ電話機に対する他の電話機からの着信を転送する着信転送サービスシステムに於いて、
着信転送を許容する端末の所在情報を管理する所在管理機能部と、前記ＩＰ電話機と前記他の電話機との間の通信処理及び前記他の電話機からの着信のＩＰパケットを、前記所在管理機能部により管理する前記端末の所在情報に従った気付アドレスを含むヘッダによりカプセル化して転送処理し、前記端末からのカプセル化したＩＰパケットをデカプセル化して前記他の電話機に転送処理するホームエージェント機能部と、他のホームターミナルの配下の端末からの位置登録要求の可否を判定し、可の場合に前記所在管理機能部に所在情報を登録するフォーリンエージェント機能部とを有し、前記他の電話機からの着信を前記ＩＰ電話機及び前記端末に転送するホームターミナルをインターネットに接続したことを特徴とする着信転送サービスシステム。
【請求項５】
前記ホームエージェント機能部及び前記フォーリンエージェント機能部は、前記端末からの位置登録要求に対して可否を判定し、可の場合のみ前記所在管理機能部に前記端末の所在情報を、前記端末の位置までの距離の遠近情報を含めて登録する構成を有し、且つ前記ホームエージェント機能部は、前記他の電話機からの着信を、前記端末の所在情報の中の距離が近い端末から順に着信転送する構成を有することを特徴とする請求項４記載の着信転送サービスシステム。
【発明の詳細な説明】
【技術分野】
【０００１】
本発明は、ＩＰ（Ｉｎｔｅｒｎｅｔ  Ｐｒｏｔｏｃｏｌ）電話サービスを提供するホームエージェント機能を備えたホームターミナル及びこのホームターミナルを用いた着信転送サービスシステムに関する。
【背景技術】
【０００２】
ＩＰ電話サービスは、インターネットプロバイダが提供するＩＰ電話接続用のＳＩＰ（Ｓｅｓｓｉｏｎ  Ｉｎｉｔｉａｔｉｏｎ  Ｐｒｏｔｏｃｏｌ）サーバ等の装置を介して、通信相手との間の接続開始制御を行い、通信相手応答により、セッションが確立すると、相互間でインターネットを介してＩＰパケットによる音声データの送受信により通話を行うものである。その場合、インターネットに接続した専用のターミナル装置に、一般電話機を接続してＩＰ電話機として使用する構成が用いられている。又モバイルＩＰ環境に於いては、通信相手端末からのＩＰパケットに、移動端末の移動先で、その移動端末に割り付けられた気付アドレスと、送信元ホームアドレスとを含むＩＰヘッダを付けてカプセル化し、移動端末へ転送するホームエージェント機能を有するルータ（ホームターミナル）も知られている。
【０００３】
又通話中着信サービス等の各種のサービスを提供する為のサービス種別対応のサービス提供装置を設け、ＩＰ電話機からのサービス要求種別に応じてＳＩＰサーバ等の接続サーバからの接続指示により、所望のサービス提供装置に、ＩＰ電話機間を接続して、各種サービスを提供するシステムが提案されている（例えば、特許文献１参照）。
【０００４】
又マルチメディア通信システムに於いて、外線端末からの呼の着信先を含むルーティングデータを保持するＣＴＩ（Ｃｏｍｐｕｔｅｒ  Ｔｅｌｅｐｈｏｎｙ  Ｉｎｔｅｇｒａｔｉｏｎ）サーバと、転送サーバとを有し、転送サーバは、クライアント端末の転送先リストを保持するデータ保持部を有し、ＣＴＩサーバは、着信に応答することなく、転送先リストに基づいてクライアント端末に転送するサービスも知られている（例えば、特許文献２参照）。
【特許文献１】特開２０００−１５１６７９号公報
【特許文献２】特開２００２−２８１１５９号公報
【発明の開示】
【発明が解決しようとする課題】
【０００５】
ＩＰ電話サービスは、通信開始時に、ＳＩＰサーバ等のインターネットの装置を介して通信相手を呼出し、この通信相手が呼出しに応答することにより、通信要求元と通信相手との相互間で、音声データをＩＰパケットにより転送して、通話を行うものである。従って、着信転送サービスは、前述の特許文献１に示すように、サービス要求種別を着信転送要求とすると、着信転送サービス提供装置を設けることにより対応することになる。しかし、現在のシステム構成に対して余分な装置を追加設置しなければならず、コストアップとなる問題がある。
【０００６】
又前述の特許文献２に示すように、ＣＴＩサーバに転送先を登録する構成は、転送先が変更になる移動端末に対して適用することは困難である。又インターネットプロバイダに予め転送先等を登録することにより、着信転送サービスを提供することが考えられるが、転送先登録等のインターネットを介した入力操作が必要となる問題がある。又モバイルＩＰ電話サービスに於いては、移動先の気付アドレス等により移動端末に対する伝送を行うことができるが、例えば、ホームエージェント配下のＩＰ電話機と共に、移動先の端末への着信転送のサービスは提供されていないものである。
【０００７】
本発明は、着信転送サービスを容易に提供できるホームターミナルを提供すると共に、移動先のＩＰ電話機に対しての着信転送サービスを提供することを目的とする。
【課題を解決するための手段】
【０００８】
本発明のホームターミナルは、インターネット通信に於けるホームエージェント機能を有するホームターミナルに於いて、端末の所在情報を管理する所在管理機能部と、配下のＩＰ電話機と他の電話機との間の通信処理及び前記他の電話機から前記ＩＰ電話機に対する着信のＩＰパケットを、前記所在管理機能部により管理する前記端末の所在情報に従った気付アドレスを含むヘッダによりカプセル化して転送処理し、前記端末からのカプセル化したＩＰパケットをデカプセル化して前記他の電話機に送信処理するホームエージェント機能部と、他のホームターミナルの配下の端末の位置登録要求の可否を判定し、可の場合に位置登録応答を前記位置登録要求の端末に送信し、且つ前記端末の所在情報を前記所在管理機能部に登録するフォーリンエージェント機能部とを備えている。
【０００９】
又前記ホームターミナルのホームエージェント機能部は、前記他の電話機からの着信を前記ＩＰ電話機に着信させると共に、前記所在管理機能部に於いて所在情報を登録した全端末に対して転送し、最初の応答に対して前記他の電話機との間の接続処理を実施する構成を有することができる。
【００１０】
又前記ホームターミナルの所在管理機能部は、前記端末からの位置登録要求に従った所在情報を、当該ホームターミナルからの距離の遠近の順序に従って管理する構成を有し、前記ホームエージェント機能部は、前記所在管理機能部により管理する端末の距離が近い順に従って前記他の電話機からの着信を順次転送処理する構成を有することができる。
【００１１】
又本発明の着信転送サービスシステムは、ＩＰ電話機に対する他の電話機からの着信を転送する着信転送サービスシステムに於いて、着信転送を許容する端末の所在情報を管理する所在管理機能部と、前記ＩＰ電話機と前記他の電話機との間の通信処理及び前記他の電話機からの着信のＩＰパケットを、前記所在管理機能部により管理する前記端末の所在情報に従った気付アドレスを含むヘッダによりカプセル化して転送処理し、前記端末からのカプセル化したＩＰパケットをデカプセル化して前記他の電話機に転送処理するホームエージェント機能部と、他のホームターミナルの配下の端末からの位置登録要求の可否を判定し、可の場合に前記所在管理機能部に所在情報を登録するフォーリンエージェント機能部とを有し、前記他の電話機からの着信を前記ＩＰ電話機及び前記端末に転送するホームターミナルをインターネットに接続した構成を有する。
【００１２】
又前記ホームエージェント機能部及び前記フォーリンエージェント機能部は、前記端末からの位置登録要求に対して可否を判定し、可の場合のみ前記所在管理機能部に前記端末の所在情報を、前記端末の位置までの距離の遠近情報を含めて登録する構成を有し、且つ前記ホームエージェント機能部は、前記他の電話機からの着信を、前記端末の所在情報の中の距離が近い端末から順に着信転送する構成を有することができる。
【発明の効果】
【００１３】
モバイルＩＰに於けるホームエージェント機能を有するホームターミナルにより、その配下のＩＰ電話機に対する着信を、インターネットプロバイダに依頼する処理を必要とすることなく、所定の端末に転送することができる。その場合の端末の所在情報を、移動先からの登録要求に従って登録して管理することができるから、ＩＰ電話機と、所在管理機能部により登録管理された単一又は複数の端末に対して一斉に、又は距離の近い順に着信転送することが可能となる。
【発明を実施するための最良の形態】
【００１４】
本発明のホームターミナル及び着信転送サービスシステムは、図２を参照して説明すると、端末の所在情報を管理する所在管理機能部１３と、配下のＩＰ電話機２と他の電話機５との間の通信処理及び他の電話機５からＩＰ電話機２に対する着信のＩＰパケットを、所在管理機能部１３により所在情報Ｄ５として管理する端末の所在情報に従った気付アドレスを含むヘッダによりカプセル化して転送処理し、端末からのカプセル化したＩＰパケットをデカプセル化して、他の電話機５に送信処理するホームエージェント機能部１１と、他のホームターミナルの配下の端末の位置登録要求の可否を判定し、可の場合に位置登録応答を、位置登録要求の端末に送信し、且つ端末の所在情報を所在管理機能部１３に登録するフォーリンエージェント機能部１２とを備えたホームターミナル１０と、このホームターミナル１０をインターネットに接続して、所望の端末に着信転送する。
【実施例１】
【００１５】
図１は、本発明の実施例１のシステムの要部説明図であり、１−１，１−２はホームターミナル、２はホームターミナル１−１配下のＩＰ電話機、３，４はホームターミナル１−１の配下から移動した端末、５は一般電話機又はＩＰ電話機等の他の電話機、６はインターネット、７は基地局を示す。それぞれのユーザ宅内にホームターミナル１−１，１−２を設置してインターネット６に接続し、着信転送サービスシステムを構成する。このホームターミナル１−１，１−２に宅内の電話機をＩＰ電話機２として接続して、着信転送サービスシステムを構成する。なお、ホームターミナル１−２に接続するＩＰ電話機は図示を省略している。又ホームターミナル１−１，１−２は、ホームエージェント機能部と、フォーリンエージェント機能部と、所在管理機能部とを含む構成を有するものであり、インターネット６に接続されている図示を省略したＳＩＰサーバやルータ等を介して、ＩＰ電話サービスが提供される。又矢印ａ〜ｅは、着信や応答の経路を示す。
【００１６】
即ち、外部の電話機５からホームターミナル１−１の配下のＩＰ電話機２に対して発呼ａし（この場合のＳＩＰサーバ等の呼設定を行う装置は、インターネット６に含まれるものとして図示を省略）、このＩＰ電話機２のユーザが応答することにより、電話機５とＩＰ電話機２との間は、インターネット６を介して、ＩＰパケットの送受信により、通常の通話を行うことができる。又端末３を携帯して、ホームターミナル１−２の管理下に移動した場合、端末３からホームターミナル１−２を介してホームターミナル１−１に位置登録要求ｂを送出する。この場合、ホームターミナル１−１のフォーリンエージェント機能部とホームターミナル１−２のフォーリンエージェント機能部との間の通信処理が行われる。
【００１７】
この位置登録要求ｂに対してホームターミナル１−１からホームターミナル１−２を介して端末３に位置登録応答ｂを送出する。それにより、ホームターミナル１−１は、移動した端末３の所在位置、更にはホームターミナル１−１からの距離を、所在管理機能部により登録して管理する。又ホームターミナル１−２のフォーリンエージェント機能部は、端末３のアドレス情報等を登録して管理する。従って、電話機５からの着信時に、ホームターミナル１−１は、ＩＰ電話機２による無応答が所定時間継続した時、或いは、着信転送設定キー押下等を行って不在状態とした時、又は一斉着信転送の設定により、移動先の端末３に、ホームターミナル１−２のアドレスを宛先アドレスとしてカプセル化して転送ｃする。即ち、ホームターミナル１−１は、端末３の所在位置を管理することにより、着信転送サービスを提供することができる。
【００１８】
又ホームターミナル１−１のユーザが、端末４を携帯して基地局７のサービスエリアに移動した場合、基地局７を介してインターネット６のルータにホームアドレスと気付アドレスとを登録するモバイルＩＰネットワークに於ける手段を利用して、ホームターミナル１−１へ端末４の位置登録要求ｄを行い、ホームターミナル１−１から端末４へ位置登録応答ｄを送出することにより、ホームターミナル１−１は、端末４の移動先の気付アドレスに基づく所在位置更にはホームターミナル１−１からの距離を所在管理機能部により管理し、前述の電話機５からの着信を、この端末４に転送ｅすることができる。即ち、着信転送先をインターネットプロバイダ側に要求して登録することなく、ユーザ宅内に設置したホームターミナル１−１，１−２の機能によって着信転送サービスを提供することができる。
【００１９】
又ホームターミナル１−１，１−２の所在管理機能部に、それぞれのホームターミナル配下から移動した複数の端末の所在位置情報を、位置登録要求に従って登録許容端末について登録することができる。それにより、電話機５からの着信を、ＩＰ電話機２と共に、位置登録した端末３，４に同時に転送することもできる。この場合は、先に応答したＩＰ電話機又は端末と、発呼した電話機５と通話することになる。又所在位置情報と共に、ホームターミナルからの距離も登録することにより、ホームターミナル１−１から近い順に着信転送し、応答しない場合は、次に近い端末に順次着信転送することもができる。
【００２０】
又ホームターミナル１−１，１−２のフォーリンエージェント機能部は、他のホームターミナル又はそのホームターミナルの配下の端末との間の位置登録要求と位置登録応答との送受信処理により、許容可能の端末についてのみ、所在管理機能部に位置登録を行い、信頼性を確保するものである。
【００２１】
図２は、本発明の実施例に従ったホームターミナルの説明図であり、図１に於けるホームターミナル１−１，１−２の構成の要部を示し、１０はホームターミナル、１１はホームエージェント機能部、１２はフォーリンエージェント機能部、１３は所在管理機能部、１４，１５，１６はデータベース、１７はターミナルディスプレイを示す。なお、送受信インターフェース機能部は、図示を省略しているが、既に知られている構成により実現することができる。又図１に示す符号と同一符号により対応部分を示し、８は他のホームターミナルに属する端末を示す。又データベース１４は、ホームエージェント機能部１１により、データの書込みや読出しによる参照等が行われるものであり、ＨＡ(Ｈｏｍｅ  Ａｇｅｎｔ)用ＭＮ（Ｍｏｂｉｌｅ  Ｎｏｄｅ）管理情報Ｄ１、ＨＡ用ＢＣ（Ｂｉｎｄｉｎｇ  Ｃａｃｈｅ）管理情報Ｄ２、ＨＡ用ＢＣ着信転送情報Ｄ６を含む情報を格納している。又データベース１５は、所在管理機能部１３により、データの書込みや読出しが行われるもので、端末の移動先の位置に関連した所在情報Ｄ５を格納している。又データベース１６は、フォーリンエージェント機能部１２により、データの書込みや読出しが行われるもので、ＦＡ（Ｆｏｒｅｉｇｎ  Ａｇｅｎｔ）用ＭＮ管理情報Ｄ３，ＦＡ用ＢＣ管理情報Ｄ４を格納している。
【００２２】
又矢印は情報の流れを示し、ａ１は電話機５からのＶｏＩＰ着信、ａ２はＩＰ電話機２に対するＶｏＩＰ着信、ａ３は端末もしくは他のホームターミナル１−２に対するカプセル化されたＶｏＩＰ着信、ａ４はＩＰ電話機２からの着信応答、ａ５はカプセル化されたＶｏＩＰ着信応答、ａ６は電話機５に対するＶｏＩＰ着信応答、ｂ１は端末もしくは他のホームターミナル１−２からの位置登録、ｂ２はホームエージェント機能部１１から所在管理機能部１３に対する所在情報登録、ｂ３は端末もしくは他のホームターミナル１−２に対する位置登録応答、ｃ１はホームエージェント機能部１１から所在管理機能部１３に対する所在情報取得要求、ｃ２は所在管理機能部１３からホームエージェント機能部１１に対する所在情報取得応答を示す。
【００２３】
又ｄ１は他のホームターミナルに属する端末８からの位置登録、ｄ２はそれに対する位置登録応答を示す。又ｅ１はフォーリンエージェント機能部１２から所在管理機能部１３に対する所在情報取得要求、ｅ２はそれに対する所在情報取得応答を示す。又ｆ１は所在管理機能部１３からターミナルディスプレイ１７に対する所在情報表示通知を示す。又ｇ１は端末もしくは所在表示機器３から所在管理機能部１３に対する所在情報取得要求、ｇ２はそれに対する所在情報取得応答を示す。なお、ホームエージェント機能部１１と、フォーリンエージェント機能部１２と、所在管理機能部１３とは、プロセッサの処理機能によって実現することが可能であり、又データベース１４〜１６は、一つのメモリの領域の割り当てによって実現することも可能である。
【００２４】
図３は、前述のホームターミナル１０のデータベース１４に格納される（Ａ）ＨＡ用ＭＮ（ホームエージェント用モバイル端末）管理情報Ｄ１と、（Ｂ）ＨＡ用ＢＣ（ホームエージェント用バインディングキャッシュ）管理情報Ｄ２と、（Ｃ）ＨＡ用ＢＣ（ホームエージェント用バインディングキャッシュ）着信転送情報Ｄ６とを示すもので、図３の（Ａ）のＨＡ用ＭＮ管理情報Ｄ１は、許容ＭＮ  ＩＰアドレス１〜許容ＭＮ  ＩＰアドレスＮとして示すように、ホームターミナル１０に、接続することを許容する端末のＩＰアドレスを予め登録する。又図３の（Ｂ）のＨＡ用ＢＣ管理情報Ｄ２は、ＢＣ管理情報１〜ＢＣ管理情報Ｎとして示すように、ホームターミナル１０に対して、ホームネットワークとして位置登録された端末のモバイルＩＰ関連情報のＭＮＨｏＡ（モバイル端末のホームアドレス）、ＭＮＣｏＡ(モバイル端末の気付アドレス)、ＭＮＨＡ（ホームエージェント）アドレスとを含む情報である。又図３の（Ｃ）のＨＡ用着信転送情報Ｄ６は、ＩＰ電話機アドレス対応に、一斉着信転送を行うか否かを示す一斉着信転送フラグと、着信転送中であるか否かを示す着信転送フラグとを含むものである。
【００２５】
図４は、ホームターミナル１０のデータベース１６に格納された（Ａ）ＦＡ用ＭＮ（フォーリンエージェント用モバイル端末）管理情報Ｄ３と、（Ｂ）ＦＡ用ＢＣ（フォーリンエージェント用バインディングキャッシュ）管理情報Ｄ４とを示すもので、図４の（Ａ）のＦＡ用ＭＮ管理情報Ｄ３は、許容ＭＮ  ＩＰアドレス１〜許容ＭＮ  ＩＰアドレスＮとして示すように、ホームターミナルにフォーリンネットワークとして接続可能な端末のＩＰアドレスを登録したものである。又図４の（Ｂ）のＦＡ用ＢＣ管理情報Ｄ４は、ＢＣ管理情報１〜ＢＣ管理情報Ｎとして示すように、ホームターミナルにフォーリンネットワークとして位置登録された端末のモバイルＩＰ関連情報のＭＮＨｏＡ(モバイル端末のホームアドレス)と、ＭＮＣｏＡ(モバイル端末の気付アドレス)と、ＭＮＨＡ(モバイル端末のホームエージェント)アドレスと、ＢＣ（Ｂｉｎｄｉｎｇ  Ｃａｃｈｅ）活性状態か否かを示す情報とを含むものである。
【００２６】
図５は、ホームターミナル１０のデータベース１５に格納される所在情報Ｄ５の一例を示すもので、ホームターミナルＨＴからの距離を求めて、距離が近い順に配列する場合を示す。図５の（Ａ）は、ポイント情報(ＨＴ，ＦＡ，端末)、アドレス（ＨＡアドレス，ＣｏＡ等）、ＧＰＳ情報、地名、ＨＴからの距離、次情報の項目を有する場合を示し、ホームターミナルＨＴと、フォーリンエージェントＦＡと、携帯電話機等の端末とについての位置情報を、気付アドレスＣｏＡ等により求めるか、又はＧＰＳ情報により求めるもので、この位置情報により、その地名が判り、又ホームターミナルＨＴからの距離を求めることができる。そして、ポイント情報対応に距離の近い順に配列する。なお、次情報は、配列順の次のアドレスを示す。
【００２７】
又図５の（Ｂ）は気付情報を示し、端末情報(番号，端末名)、ＣｏＡ、地名、ＨＴからの距離、更新日時、次情報の項目を有する場合で、端末の移動先を識別できる気付アドレスＣｏＡを基に地名やホームターミナルＨＴからの距離を求めることができる。この気付情報対応に距離の近い順に配列し、次情報により、次の転送先を求めることができる。複数の着信転送先が登録されている場合に、ホームターミナルＨＴから最も近い端末に対して転送処理を行い、転送失敗の場合は、次の順位の端末に対して転送処理を行うことができる。従って、ホームターミナルＨＴからの距離は、正確さを要求されるものではなく、例えば、大中小の関係で分類することも可能となる。
【００２８】
図６は、着信転送処理の説明図であり、図２に示すホームエージェント機能部１１とフォーリンエージェント機能部１２と所在管理機能部１３とを含む機能部２０と、データベース１４〜１６の機能を含む所在管理部２１と、ＢＣ（バインディングキャッシュ）管理部２２と、ＭＮ（モバイル端末）管理部２３との処理機能及び情報記憶手段を備えたホームターミナル１０と、このホームターミナル１０が属するホームネットワーク外に、ＩＰ電話機２５及び端末２６，２７が存在する場合の着信転送処理を示すもので、Ｓ１１〜Ｓ１７は処理ステップの順序を示す。又ＩＰ電話機２４のＩＰアドレスをＡＤＤＲ１、ＩＰ電話機２５のＩＰアドレスをＡＤＤＲ４、端末２６のホームアドレスＨｏＡをＨｏＡ１、気付アドレスＣｏＡをＡＤＤＲ２、端末２７のホームアドレスＨｏＡをＨｏＡ２、気付アドレスＣｏＡをＡＤＤＲ３とした場合を示す。
【００２９】
端末２６，２７は、ホームネットワークから外部に移動した場合に、端末２６に気付アドレスＣｏＡとしてＡＤＤＲ１が割り当てられ、又端末２７に気付アドレスＣｏＡとしてＡＤＤＲ２が割り当てられた場合に於いて、それぞれの端末２６，２７から位置登録する（ステップＳ１１）。機能部２０は、所在管理部２１とＢＣ管理部２２とに登録する（ステップＳ１２）。この位置登録は、例えば、標準化された図７の先頭位置の“Ｖｅｒｓｉｏｎ：４”として示すＩＰｖ４のパケットの“Ｔｙｐｅ：ｘｘ（所在情報）”，“Ｌｅｎｇｔｈ”，“所在情報”により、又は図８の先頭位置の“Ｖｅｒｓｉｏｎ：６”として示すＩＰｖ６のパケットの“Ｏｐｔｉｏｎ  Ｔｙｐｅ：ｘｘｘ（所在情報）”，“Ｏｐｔｉｏｎ  Ｌｅｎｇｔｈ”，“所在情報”を識別して、所在情報に従った位置登録を行うことができる。なお、ＩＰｖ４パケット及びＩＰｖ６パケットは、標準化されているから、他の項目の説明は省略する。
【００３０】
又端末２６，２７からの位置登録(ステップＳ１１)は、図２に於ける端末もしくは他のホームターミナル１−２からの位置登録ｂ１に相当し、ホームエージェント機能部１１は、受信パケットの種別を判定し、位置登録要求の場合は、データベース１４のＨＡ用ＭＮ管理情報Ｄ１を、位置登録メッセージに含まれるホームアドレスＨｏＡにより検索し、位置登録を許容する端末か否かを判定し、許容端末の場合は、データベース１４のＨＡ用ＢＣ管理情報Ｄ２として、ＨｏＡ，ＣｏＡ，ＨＡアドレスを含むモバイルＩＰ関連情報を登録し、所在管理機能部１３に所在情報登録ｂ２を要求する。この要求ステップが、図６に於けるステップＳ１２に相当する。
【００３１】
所在管理機能部１３は、この所在情報登録ｂ２の要求により、図５の（Ａ）に示すポイント情報を収集し、受信した気付アドレスＣｏＡ又はＧＰＳ情報からポイント情報を特定し、図５の（Ｂ）の気付情報と同じ情報要素を持つ位置情報を作成する。そして、気付情報を参照して、初回の登録の場合は、作成した位置情報を気付情報として登録し、ターミナルディスプレイ１７（図２参照）に表示する。又既に他の気付情報が存在する場合は、ホームターミナルからの距離を比較して、距離が近い順にソートして、作成した位置情報を登録し、ターミナルディスプレイ１７に表示する。
【００３２】
前述の登録が完了した後、ＩＰ電話機２５からホームターミナル１０に接続されたＩＰ電話機２４に対して発呼した場合(ステップＳ１３)、図２に於けるホームエージェント機能部１１に対するＶｏＩＰ着信ａ１に相当し、ホームエージェント機能部１１は、データベース１４のＨＡ用ＢＣ管理情報Ｄ２を参照し、登録されている全端末の気付アドレスＣｏＡを収集して、その中に端末の気付アドレスＣｏＡが含まれている場合、図３の（Ｃ）のＨＡ用着信転送情報Ｄ６に示す一斉着信転送フラグがオンか否かを判定し、オンの場合は、ＩＰ電話機２４へ着信(ステップＳ１４)させると同時に、端末２６，２７に対して転送する為に、ＶｏＩＰパケットを複製して、その複製したＶｏＩＰパケットの宛先を、図３の（Ｂ）のＨＡ用ＢＣ管理情報Ｄ２のＨｏＡに変換する。
【００３３】
この時、端末２６に対してはＨｏＡ１、端末２７に対してはＨｏＡ２に変換する。そして、送信元がＨＡアドレス、宛先アドレスがＣｏＡ(端末２６の場合はＡＤＤＲ２、端末２７の場合はＡＤＤＲ３に変換)のＩＰヘッダをＶｏＩＰ（Ｖｏｉｃｅ  ｏｖｅｒ  Ｉｎｔｅｒｎｅｔ  Ｐｒｏｔｏｃｏｌ）着信パケットのアウターＩＰヘッダとして、ＶｏＩＰ着信パケットのカプセル化を行い、端末２６，２７へ転送する(ステップＳ１５)。この時、図３の（Ｃ）のＨＡ用着信転送情報Ｄ６の着信転送中フラグをオンとして、着信転送中を表示する。又ＶｏＩＰ着信の転送又はカプセル化による転送即ちＩＰｉｎＩＰ転送動作は、着信転送中フラグがオフになり、ＶｏＩＰ着信応答が要求元のＩＰ電話機２４に於いて受信され、ＶｏＩＰ着信パケットをホームターミナルで受信しなくなることにより、ＶｏＩＰ着信の転送／ＩＰｉｎＩＰ転送は停止される。
【００３４】
ＩＰｉｎＩＰ転送されたＶｏＩＰ着信応答パケット(ステップＳ１６)を受信した時は、ホームエージェント機能部１１(図２参照)が動作し、受信パケットのメッセージ種別の判定を行い、ＶｏＩＰ着信応答でカプセル化されていた場合は、ＨＡ用着信転送情報Ｄ６を読出して、着信転送中フラグがオンか否かを判定し、オンの場合は、ＶｏＩＰ着信要求元のＩＰ電話機２５にＶｏＩＰ着信応答されていない為、ＩＰｉｎＩＰカプセル化されたＶｏＩＰ着信応答をデカプセル化後、ＶｏＩＰ着信応答を、ＶｏＩＰ着信要求元であるＩＰ電話機２５にＶｏＩＰ着信応答パケットの転送を行う(ステップＳ１７)と共に、着信転送フラグをオフに設定する。
【００３５】
又カプセル化されていない場合は、デカプセル化を行わずにＶｏＩＰ着信応答をＶｏＩＰ着信要求元であるＩＰ電話機２５に対して、着信応答パケットの転送を行うと共に着信転送フラグをオフ設定する。端末２６，２７の順で着信応答を受信した際は、端末２６の着信応答処理時に着信転送フラグがオフされる為、端末２７の着信応答が要求元に転送されることはない。又ホームネットワーク内のＩＰ電話機２４が先に応答した場合も着信転送中フラグがオフとなる為、端末２６，２７からの着信応答が要求元であるＩＰ電話機に転送されることはない。即ち、ホームターミナル１０からの距離の近い順に着信転送する場合に、着信応答した端末との間の通信を可能とし、他の端末に対する着信転送は中止する。
【００３６】
なお、端末２６，２７は、ホームネットワーク内のＩＰ電話機２４（ＩＰアドレス：ＡＤＤＲ１）と異なるＩＰアドレスをホームアドレスＨｏＡとして、端末２６はＨｏＡ１、端末２７はＨｏＡ２が割り当てられた場合を示しているが、ＩＰ着信転送を要求する移動端末が１台の場合は、ＩＰ電話機２４と同一のＩＰアドレスを、端末のホームアドレスＨｏＡとして利用することも可能である。
【００３７】
図９及び図１０は、ホームエージェント機能部１１（図２参照）の動作フローチャートについて、ステップ（Ａ１）〜（Ａ４６）により示すもので、図２に於ける電話機５、ＩＰ電話機２、端末もしくは他のホームターミナル１−２等からの入力について位置登録の要求であるか否かを判定し（Ａ１）、位置登録でない場合は、ステップ（Ａ７）に移行する。又位置登録の要求の場合は、ＨＡ用ＭＮ管理情報Ｄ１からＨｏＡに対応した情報を収集し（Ａ２）、許容すべき端末か否かを判定し（Ａ３）、許容すべき端末でない場合は処理を終了する。又許容できる端末の場合は、ＨＡ用ＢＣ管理情報Ｄ２へ、ＨｏＡに対応した領域に対して、位置登録データ(気付アドレスを含むモバイルＩＰ関連情報)を登録する（Ａ４）。所在管理機能部１３に所在情報を通知する（Ａ５）。そして、位置登録に対する応答送信を行う（Ａ６）。
【００３８】
又ステップ（Ａ７）に於いて、ＶｏＩＰ着信か否かの入力判定を行い、ＶｏＩＰ着信の場合はステップ（Ａ２０）に移行し、ＶｏＩＰ着信でない場合は、ステップ（Ａ８）に移行する。このステップ（Ａ８）に於いて、応答パケット受信か否かの入力判定を行い、応答パケット受信でない場合は、入力誤りとして（Ａ１５）、処理を終了する。又応答パケット受信の場合は、ＨＡ用着信転送情報Ｄ６の着信転送中フラグ（図３の（Ｃ）参照）を取得して（Ａ９）、着信転送中フラグがオンか否かを判定する（Ａ１０）。オンでない場合は、処理を終了し、オンの場合は、カプセル化パケットか否かを判定し（Ａ１１）、カプセル化パケットの場合はデカプセル化し（Ａ１２）、ＨＡ用着信転送情報Ｄ６の着信転送中フラグをオフとし（Ａ１３）、ＶｏＩＰ着信パケットを要求元に転送し（Ａ１４）、処理を終了する。
【００３９】
又ステップ（Ａ７）に於いて、ＶｏＩＰ着信の入力判定の場合、ＨＡ用ＢＣ管理情報Ｄ２からＨｏＡに対応する情報を取得し（Ａ２０）、ＨＡ用着信転送情報Ｄ６の一斉着信フラグ(図３の（Ｃ）参照)を取得し（Ａ２１）、一斉着信実施か否かを判定し（Ａ２２）、一斉着信実施の場合は、ＩＰ電話機２４(図６参照)に転送し（Ａ２３）、ステップ（Ａ２４）〜（Ａ２９）を、ＨＡ用ＢＣ管理情報分繰り返す。即ち、ＶｏＩＰ着信パケットを複製し、宛先に該当ＨＡ用ＢＣ管理情報のＨｏＡを設定し（Ａ２５）、宛先ＣｏＡ、送信元ＨＡでカプセル化し（Ａ２６）、端末２６，２７(図６参照)に着信転送し（Ａ２７）、ＨＡ用着信転送情報Ｄ６の着信転送中フラグをオンにする（Ａ２８）。
【００４０】
又ステップ（Ａ２２）に於いて一斉着信実施でないと判定した場合は、ＨＡ用ＢＣ管理情報が複数存在するか否かを判定し（Ａ３０）、複数存在しない場合は、ＩＰ電話機２４(図６参照)に転送し（Ａ３１）、ＶｏＩＰ着信パケットを複製し、宛先に該当ＨＡ用ＢＣ管理情報のＨｏＡを設定し（Ａ３２）、前述のステップ（Ａ２６）〜（Ａ２８）と同一のステップ（Ａ３３）〜（Ａ３５）による転送処理を行う。
【００４１】
又ステップ（Ａ３０）に於いて、ＨＡ用ＢＣ管理情報が複数存在する場合は、所在管理機能部１３（図２参照）に所在情報取得要求を行い（Ａ３６）、ＩＰ電話機２４（図６参照）に転送し（Ａ３７）、ステップ（Ａ３８）〜（Ａ４６）を、所在情報分繰り返す。即ち、所在情報のＣｏＡと同一のＣｏＡを保持するＨＡ用ＢＣ管理情報を取得し（Ａ３９）、ＶｏＩＰ着信パケットを複製し、宛先に該当ＨＡ用ＢＣ管理情報のＨｏＡを設定し（Ａ４０）、宛先ＣｏＡ、送信元ＨＡでカプセル化し（Ａ４１）、端末２６，２７（図６参照）に着信転送し（Ａ４２）、ＨＡ用着信転送情報Ｄ６の着信転送中フラグ（図３の（Ｃ）参照）をオンとし（Ａ４３）、タイマ監視を行い（Ａ４４）、着信転送中フラグがオフか否かを判定し、オフでない時は、ステップ（Ａ３８）に移行し、オフの時は、処理を終了する。
【００４２】
図１１及び図１２は、所在管理機能部１３（図２参照）の動作を、ステップ（Ｂ１）〜（Ｂ２８）により示すもので、所在情報登録の入力であるか否かを判定し（Ｂ１）、所在情報登録入力でない場合は、所在情報取得要求であるか否かを判定し（Ｂ１５）、所在情報取得要求でもない場合は、入力誤りとして処理を終了する（Ｂ１６）。又所在情報登録入力の場合は、ターミナルディスプレイ１７（図２参照）から距離情報を受付けて、所在情報Ｄ５に登録する（Ｂ２）。この場合、端末／フォーリンエージェントからの位置登録は、位置情報のみであるから、予め位置情報に対応した距離情報を登録しておくものである。そして、ホームエージェント機能部１１（図２参照）からの所在情報登録要求を受付け（Ｂ３）、所在情報Ｄ５から所在情報を収集し（Ｂ４）、１個目の登録か否かを判定し（Ｂ５）、１個目の場合は、登録要求された端末／フォーリンエージェントの所在情報を登録し（Ｂ６）、ターミナルディスプレイ１７に、登録された端末／フォーリンエージェントの所在情報を表示する（Ｂ７）。
【００４３】
又所在情報登録が２個目以上の場合、ステップ（Ｂ８）〜（Ｂ１０）を登録個数分繰り返すもので、登録要求された位置情報は、登録済みの位置情報に比較して近いか否かを判定し（Ｂ９）、近い場合は、登録要求された端末／フォーリンエージェントの所在管理情報を，比較した位置情報の前の領域に登録する（Ｂ１３）。そして、ステップ（Ｂ７）と同様にターミナルディスプレイ１７に表示する（Ｂ１４）。又登録済みの位置情報より遠い場合は、登録要求された端末／フォーリンエージェントの位置情報が一番遠いことを示す時、最後尾の領域に登録する（Ｂ１１）。そして、ステップ（Ｂ７），（Ｂ１４）と同様に、ターミナルディスプレイ１７に表示する（Ｂ１２）。
【００４４】
又ステップ（Ｂ１５）に於いて、所在情報取得要求の入力判定の場合は、ホームエージェント機能部１１／フォーリンエージェント機能部１２／端末／所在表示機器からの所在情報取得要求を受付け（Ｂ２０）、所在情報Ｄ６から所在管理情報を収集し（Ｂ２１）、取得要求は、ホームエージェント機能部１１かフォーリンエージェント機能部１２かを判定し（Ｂ２２）、それらの何れかからの要求の場合は、所在管理情報をリスト毎返信する（Ｂ２３）。
【００４５】
又取得要求がホームエージェント機能部１１とフォーリンエージェント機能部１２とからでない場合は、ステップ（Ｂ２４）〜（Ｂ２６）を、登録されている所在情報分繰り返す。即ち、要求された端末情報と一致するか否かを判定する。一致する場合は、その所在管理情報を要求元に返信し（Ｂ２８）、繰り返しても一致しない場合は、その旨を要求元に返信する（Ｂ２７）。
【００４６】
図１３及び図１４は、フォーリンエージェント機能部１２（図２参照）の動作を、ステップ（Ｃ１）〜（Ｃ２５）により示すもので、他のホームターミナル１−２又は他のホームターミナルに属する端末８（図２参照）からの位置登録要求の入力か否かを判定し（Ｃ１）、位置登録要求の場合は、ＦＡ用ＭＮ管理情報Ｄ３を読出し（Ｃ２）、移動端末ＭＮは許容ＭＮであるか否かを判定し（Ｃ３）、許容ＭＮでない場合は、処理を終了する。又許容ＭＮの場合は、ＦＡ用ＢＣ管理情報Ｄ４にそのＭＮのモバイルＩＰ情報を記録し（Ｃ４）、所在管理機能部１３（図２参照）に所在情報取得要求を行い（Ｃ５）、ＭＮ所属ホームエージェントへの位置登録パケットを作成し、それに自フォーリンエージェント位置情報を付与し（Ｃ６）、ＭＮ所属ホームエージェントへ位置登録送信を行う（Ｃ７）。
【００４７】
又ステップ（Ｃ１）に於いて、位置登録の入力でないと判定した時は、位置登録応答の入力か否かを判定し（Ｃ８）、位置登録応答入力の場合は、ＦＡ用ＢＣ管理情報Ｄ４の読出しを行い（Ｃ９）、ＢＣ（バインディングキャッシュ）の有無を判定し（Ｃ１０）、無しの場合は処理を終了し、有りの場合は、位置登録応答結果が正常応答か否かを判定し（Ｃ１１）、正常応答の場合は、ＦＡ用ＢＣ管理情報Ｄ４にＭＮのモバイルＩＰ情報記録を行い（Ｃ１２）、ＭＮ向け位置登録応答パケットを作成し（Ｃ１３）、ＭＮへ位置登録応答を送信する（Ｃ１４）。又ステップ（Ｃ１１）に於いて、正常応答でないと判定すると、ＭＮのＦＡ用ＢＣ管理情報にＢＣの有無の判定を行い（Ｃ１５）、無しの場合は処理を終了し、有りの場合は、ＦＡ用ＢＣ管理情報Ｄ４からＭＮのモバイルＩＰ情報を削除して（Ｃ１６）、処理を終了する。
【００４８】
又ステップ（Ｃ８）に於いて、位置登録応答入力でない判定の場合、データパケットの入力か否かを判定し（Ｃ１７）、データパケットでもない場合は処理を収容し、データパケットの場合は、カプセルパケットか否かを判定し（Ｃ１８）、カプセルパケットの場合は、ＦＡ用ＢＣ管理情報Ｄ４を読出し（Ｃ１９）、宛先アドレスがＢＣにあるか否かを判定し（Ｃ２０）、無しの場合は処理を終了し、有りの場合は、デカプセル化してＭＮへパケットを転送する（Ｃ２１）。
【００４９】
又ステップ（Ｃ１８）に於いて、カプセルパケットでないと判定すると、ＦＡ用ＢＣ管理情報Ｄ４を読出し（Ｃ２２）、送信元アドレスがＢＣに存在するか否かを判定し（Ｃ２３）、存在しない場合は処理を終了し、存在する場合は、カプセル化し（Ｃ２４）、ＨＡへ送信して（Ｃ２５）、処理を終了する。
【実施例２】
【００５０】
図１５は、本発明の実施例２の処理説明図であり、図６と同一符号は同一名称部分を示す。又Ｓ２１〜Ｓ２８は処理ステップを示し、位置登録のステップＳ２１と、ＢＣ管理／所在管理登録のステップＳ２２と、ＶｏＩＰ着信のステップＳ２７，Ｓ２８とは、前述の図６に示す位置登録のステップＳ１１と、ＢＣ管理／所在管理登録のステップＳ１２と、ＶｏＩＰ着信のステップＳ６，Ｓ７と同様な動作となる。
【００５１】
即ち、ステップＳ２１及びステップＳ２２により端末２６，２７からホームターミナル１０に位置登録が完了した状態に於いて、ＩＰ電話機２５からアドレスＡＤＤＲ１宛のＶｏＩＰ着信時に、前述のように、ホームターミナル１０のホームエージェント機能部１１（図２参照）が、図９及び図１０に示すフローチャートに従って動作し、受信パケットのメッセージ種別の判定をステップ（Ａ１），（Ａ７），（Ａ８）により行い、ＶｏＩＰ着信の場合は、ＨＡ用ＢＣ管理情報Ｄ２（図３の（Ｂ）参照）を検索し、登録されている全端末のＣｏＡを収集し、ＣｏＡが登録されており、ＨＡ用着信転送情報Ｄ６（図３の（Ｃ）参照）の一斉着信転送フラグがオフの場合は、ステップＳ２５により、所在管理機能部１３（図２参照）に所在情報取得要求を行う。
【００５２】
この所在情報取得要求により、所在管理機能部１３（図１参照）は、図１１及び図１２に示すフローチャートに従って動作し、所在管理情報を読出し、要求元がホームエージェント機能部１１の場合は、図５の（Ｂ）に示すように、予めホームターミナル１０から距離が近い順にソートされている気付情報を応答情報として、ホームエージェント機能部１１に応答する。ホームエージェント機能部１１は、取得した所在管理情報（ＣｏＡが近い順に配列）を基に、ステップＳ２４により、ホームネットワーク内のＩＰ電話機２４に対して着信転送すると同時に、そのＶｏＩＰ着信パケットを複製し、そのＶｏＩＰ着信パケットの宛先を最も近い位置の端末のＣｏＡを保持するＨＡ用ＢＣ管理情報Ｄ２のＨｏＡに変換し、送信元をＨＡアドレス、宛先アドレスをＣｏＡとしたＩＰヘッダをＶｏＩＰパケットのアウターＩＰヘッダとして、ＶｏＩＰ着信パケットをカプセル化して、ＩＰｉｎＩＰ転送を行う。この時，ＨＡ用着信転送情報Ｄ６（図３の（Ｃ）参照）の着信転送中フラグをオンに設定する。
【００５３】
予め設定した所定の時間経過によっても応答がない場合は、次に近い位置の端末に対して、前述の場合と同様に、ＶｏＩＰ着信パケットをカプセル化して、ＩＰｉｎＩＰ転送を行う。又ステップＳ２７により、ＶｏＩＰ着信応答を行うと、ホームターミナル１０のホームエージェント機能部１１（図２参照）は、図９及び図１０に示すフローチャートのステップ（Ａ８）により応答パケット受信判定を行う。そして、着信転送フラグがオフとなると、転送処理は停止する。又最も遠い距離の端末に対して着信転送を行っても、ＶｏＩＰ着信応答を受信できない場合は、再度、近い距離の端末から順にＩＰｉｎＩＰ転送を繰り返すことができる。又登録ＣｏＡが１個の場合、その端末とＩＰ電話機２４とに対する着信転送を繰り返すことができる。即ち、着信転送中フラグがオフとなるまで、着信転送を繰り返すことができる。なお、登録ＣｏＡがない場合は、ホームターミナル１０に、無線又は有線で接続されているＩＰ電話機２４に対してのみ着信させる。
【実施例３】
【００５４】
図１６は、本発明の実施例３の処理説明図であり、図６及び図１５と同一符号は同一名称部分を示し、３０は外部ネットワークに属するホームターミナル、４０は機能部２０と同様なホームエージェント機能部１１とフォーリンエージェント機能部１２と所在管理機能部１３（図２参照）とを含むホームターミナル、４１は所在管理部２１と同様な所在管理部、４２はＢＣ管理部２２と同様なＢＣ管理部、４３はＭＮ管理部２３と同様なＭＮ管理部を示し、又Ｓ３１〜Ｓ３９，Ｓ３００〜Ｓ３０２は、処理順序に従ったステップを示す。
【００５５】
図示の状態は、ホームネットワークのホームターミナル１０に属する端末２６が、外部ネットワークのホームターミナル３０のサービス範囲に移動した場合に相当する。即ち、図１に於けるホームターミナル１−１から他のホームターミナル１−２の配下に端末３が移動した場合に相当する。そして、端末２６は、ホームターミナル３０に対してステップＳ３１により位置登録を行う。それにより、ホームターミナル３０は、端末２６のフォーリンエージェント（ＦＡ）として動作する。自ホームネットワーク以外の端末２６からの位置登録要求を受信したホームターミナル３０の機能部４０のフォーリンエージェント機能部１２（図２参照）は、図１３及び図１４に示す動作フローチャートに従って動作する。即ち、受信パケットのメッセージ種別を判定し（図１３のステップ（Ｃ１）参照）、位置登録の場合は、ステップＳ３２によりＭＮ管理４３からＦＡ用ＭＮ管理情報Ｄ３（図４の（Ａ）参照）を読出し、受信パケット内のＭＮ情報が、許容ＭＮか否かを判定する（図１３のステップ（Ｃ３）参照）。
【００５６】
許容ＭＮでない場合は、位置登録の受信パケットを破棄する。又許容ＭＮの場合は、ＦＡ用ＢＣ管理情報Ｄ４（図４の（Ｂ）参照）にモバイルＩＰ関連情報を記録する（図１３のステップ（Ｃ４）参照）。そして、所在管理機能部１３（図２参照）に所在情報の取得要求を行う（図１３のステップ（Ｃ５）参照）。所在管理機能部１３は、図１１及び図１２に示す動作フローチャートに従って動作する。即ち、入力判定を行い、所在情報取得要求の場合、要求元がフォーリンエージェント機能部１２の場合、ホームターミナル３０自身の所在情報を、図５の（Ｂ）の気付情報から取得して応答情報とする。
【００５７】
次に、ステップＳ３３により、位置情報を付加した位置登録パケットを、端末２６のホームネットワークのホームターミナル１０へ送信する。ホームターミナル１０は、他のホームターミナル３０から自ネットワークに所属する端末２６の位置登録を受信することにより、図６に示すステップＳ１１，Ｓ１２と同様の処理によって位置登録処理を行い、ステップＳ３５により、位置登録送信元ホームターミナル３０に対して位置登録応答を送信する。
【００５８】
ホームターミナル３０は、位置登録応答を受信すると、機能部４０のフォーリンエージェント機能部１２（図２参照）が、図１３及び図１４に示す動作フローチャートに従って動作し、位置登録応答と判定すると（図１３のステップ（Ｃ８）参照）、ＦＡ用ＢＣ管理情報Ｄ４（図４の（Ｂ）参照）を読出し、受信パケット内のＭＮ（端末２６）情報に対応するＢＣ情報があれば（図１３のステップ（Ｃ１０）参照）、位置登録応答が正常であるか否かを判定し（図１３のステップ（Ｃ１１）参照）、正常応答であれば、ＦＡ用ＢＣ管理情報Ｄ４（図４の（Ｂ）参照）にモバイルＩＰ関連情報のＢＣ活性状態を活性に設定する（図１３のステップ（Ｃ１２）参照）。次にステップＳ３６により位置登録応答パケットを作成して端末２６へ送信する。
【００５９】
端末２６が位置登録処理完了の状態で、ステップＳ３７により、ＩＰ電話機２５からアドレスＡＤＤＲ１（ＩＰ電話機２４）宛のＶｏＩＰ着信の場合、ステップＳ３８，Ｓ３９により、ホームターミナル１０は、図６のステップＳ１４，Ｓ１５と同様に、ホームネットワーク内のＩＰ電話機２４に対するＶｏＩＰ着信転送と共に、ＶｏＩＰ着信パケットをカプセル化してＩＰｉｎＩＰ転送する。
【００６０】
ホームターミナル３０がステップＳ３９により他のホームターミナル１０からのＶｏＩＰ着信パケットを受信すると、機能部４０のフォーリンエージェント機能部１２（図２参照）により受信パケットのメッセージ種別を判定する。即ち、データパケット（位置登録／位置登録応答以外）であるか否かを判定し（図１３のステップ（Ｃ１７）参照）、データパケットの場合は、カプセル化パケットであるか否かを判定し（図１３のステップ（Ｃ１８）参照）、カプセル化パケットであれば、ＦＡ用ＢＣ管理情報Ｄ４（図４の（Ｂ）参照）を読出し、インナーＩＰヘッダの宛先アドレスが、ＦＡ用ＢＣ管理情報Ｄ４に登録されているか否かを判定し（図１３のステップ（Ｃ２０）参照）、登録されている場合は、アウターＩＰヘッダをデカプセル化して、ステップＳ３００により端末２６へ転送する（図１３のステップ（Ｃ２１）参照）。
【００６１】
これに対する端末２６からのステップＳ３０１による着信応答をホームターミナル４０が受信すると、機能部４０のフォーリンエージェント機能部１２（図２参照）は、受信パケットのメッセージ種別を判定し、又カプセル化パケットであるか否かを判定し（図１３のステップ（Ｃ１７），（Ｃ１８）参照）、カプセル化パケットでないから、ＦＡ用ＢＣ管理情報Ｄ４を読出し（図１４のステップ（Ｃ２２）参照）、送信元アドレスが登録されているか否かを判定する（図１４のステップ（Ｃ２３）参照）。登録されていれば、宛先アドレスに端末２６の所属するホームエージェントのアドレスを設定したＩＰヘッダをアウターＩＰヘッダとしてカプセル化パケットを作成し（図１４のステップ（Ｃ２４）参照）、ホームターミナル４０はステップＳ３０２によりＩＰｉｎＩＰ転送する。
【００６２】
ホームターミナル１０は、他のホームターミナル４０からのＩＰｉｎＩＰ転送パケットを受信すると、ステップＳ３０２，Ｓ３０３に相当する図６のステップＳ１６，Ｓ１７の場合と同様に、カプセル化されたＶｏＩＰ着信応答パケットをデカプセル化して、ＶｏＩＰ着信要求元のＩＰ電話機２５に転送する。即ち、ホームターミナル１０，３０は、図２に示すように、ホームエージェント機能部１１とフォーリンエージェント機能部１２と所在管理機能部１３とを含む同様な構成を有することにより、ホームネットワークから外部ネットワークに移動した端末２６に対して着信転送することができる。
【実施例４】
【００６３】
図１７は、本発明の実施例４の処理説明図であり、図６、図１５、図１６と同一符号は同一名称部分を示し、２８はターミナルディスプレイ（図２のターミナルディスプレイ１７に相当）、２９は宅内の端末（パーソナルコンピュータ）を示す。又ステップＳ４１〜Ｓ４９の順序に従った処理について示す。ステップＳ４１は、外部ネットワークに移動した端末２６，２７から、ホームネットワークのホームターミナル１０に位置登録を行う処理を示し、このホームターミナル１０の機能部２０のホームエージェント機能部１１（図２参照）は、ステップＳ４２により、図９及び図１０のフローチャートに従って、所在管理機能部１３（図２参照）に対して所在登録要求を行う。
【００６４】
機能部２０の所在管理機能部１３は、図１１及び図１２のフローチャートに従って動作する。即ち、入力判定を行い（図１１のステップ（Ｂ１），（Ｂ１５）参照）、所在情報登録の場合、所在管理情報Ｄ５に、端末２６，２７の所在情報を記録すると共に、ステップＳ４３により、ターミナルディスプレイ２８に所在情報表示通知を行い、例えば、図示のように表示する。
【００６５】
そして、ステップＳ４５により、端末２７或いは宅内の端末２９から、ホームターミナル１０に対して、端末２６の所在情報取得要求を行うと、ステップＳ４６により、機能部２０は端末２６の所在管理情報を収集する。この時、ホームターミナル１０の所在管理機能部１３（図２参照）が、図１１及び図１２のフローチャートに従って動作する。即ち、入力判定を行い、図１１のステップ（Ｂ１５）により、所在情報収集要求であることを判定すると、所在情報Ｄ５から所在情報を収集して検索し、要求された端末２６の所在情報が存在すれば、要求元に対して、ステップＳ４７により、その所在情報を、所在情報取得要求応答として送信する。なお、検索結果、端末２６の所在情報が登録されていない場合は、無かった旨を送信する。又外部ネットワークの例えばホームターミナル３０からの所在情報取得要求の場合、ホームターミナル１０に於いて保持している所在情報を収集して、所在情報リストを作成し、所在情報取得応答として送信する。従って、ホームターミナル１０の所在管理機能部１３により、任意数の端末の所在情報を登録して管理しているから、或る端末から、自端末の属するホームターミナルに対して他の端末の所在情報を要求することにより、その所在情報を容易に求めることができる。
【００６６】
（付記１）インターネット通信に於けるホームエージェント機能を有するホームターミナルに於いて、端末の所在情報を管理する所在管理機能部と、配下のＩＰ電話機と他の電話機との間の通信処理及び前記他の電話機から前記ＩＰ電話機に対する着信のＩＰパケットを、前記所在管理機能部により管理する前記端末の所在情報に従った気付アドレスを含むヘッダによりカプセル化して転送処理し、前記端末からのカプセル化したＩＰパケットをデカプセル化して前記他の電話機に送信処理するホームエージェント機能部と、他のホームターミナルの配下の端末の位置登録要求の可否を判定し、可の場合に位置登録応答を前記位置登録要求の端末に送信し、且つ前記端末の所在情報を前記所在管理機能部に登録するフォーリンエージェント機能部とを備えたことを特徴とするホームターミナル。
（付記２）前記ホームエージェント機能部は、前記他の電話機からの着信を前記ＩＰ電話機に着信させると共に、前記所在管理機能部に於いて所在情報を登録した全端末に対して転送し、最初の応答に対して前記他の電話機との間の接続処理を実施する構成を有することを特徴とする付記１記載のホームターミナル。
（付記３）前記所在管理機能部は、前記端末からの位置登録要求に従った所在情報を、当該ホームターミナルからの距離の遠近の順序に従って管理する構成を有し、前記ホームエージェント機能部は、前記所在管理機能部により管理する端末の距離が近い順に従って前記他の電話機からの着信を順次転送処理する構成を有することを特徴とする付記１記載のホームターミナル。
【００６７】
（付記４）前記所在管理機能部によりそれぞれ管理するホームエージェント用モバイル端末管理情報と、ホームエージェント用バインディングキャッシュ管理情報と、ホームエージェント用バインディングキャッシュ着信転送情報とを格納するデータベースを備え、前記所在管理機能部は、前記端末からの位置登録要求に対して、登録可の端末管理情報を格納した前記ホームエージェント用モバイル端末管理情報を参照して登録の可否を判定し、可の場合に前記所在管理機能部に所在情報登録要求を送出する構成を有することを特徴とする付記１記載のホームターミナル。
（付記５）前記所在管理機能部により管理するモバイル端末の所在情報を登録したデータベースを備え、前記所在管理機能部は、端末の所在位置の問い合わせに対して前記データベースから読出した所在情報を転送する構成を有することを特徴とする付記１記載のホームターミナル。
【００６８】
（付記６）ＩＰ電話機に対する他の電話機からの着信を転送する着信転送サービスシステムに於いて、着信転送を許容する端末の所在情報を管理する所在管理機能部と、前記ＩＰ電話機と前記他の電話機との間の通信処理及び前記他の電話機からの着信のＩＰパケットを、前記所在管理機能部により管理する前記端末の所在情報に従った気付アドレスを含むヘッダによりカプセル化して転送処理し、前記端末からのカプセル化したＩＰパケットをデカプセル化して前記他の電話機に転送処理するホームエージェント機能部と、他のホームターミナルの配下の端末からの位置登録要求の可否を判定し、可の場合に前記所在管理機能部に所在情報を登録するフォーリンエージェント機能部とを有し、前記他の電話機からの着信を前記ＩＰ電話機及び前記端末に転送するホームターミナルをインターネットに接続したことを特徴とする着信転送サービスシステム。
（付記７）前記ホームエージェント機能部及び前記フォーリンエージェント機能部は、前記端末からの位置登録要求に対して可否を判定し、可の場合のみ前記所在管理機能部に前記端末の所在情報を、前記端末の位置までの距離の遠近情報を含めて登録する構成を有し、且つ前記ホームエージェント機能部は、前記他の電話機からの着信を、前記端末の所在情報の中の距離が近い端末から順に着信転送する構成を有することを特徴とする付記６記載の着信転送サービスシステム。
【図面の簡単な説明】
【００６９】
【図１】本発明の実施例１のシステムの要部説明図である。
【図２】ホームターミナルの説明図である。
【図３】データベースの説明図である。
【図４】データベースの説明図である。
【図５】データベースの説明図である。
【図６】本発明の実施例１の処理説明図である。
【図７】ＩＰｖ４パケットのフォーマット説明図である。
【図８】ＩＰｖ６パケットのフォーマット説明図である。
【図９】ホームエージェント機能部の動作フローチャートである。
【図１０】ホームエージェント機能部の動作フローチャートである。
【図１１】所在管理機能部の動作フローチャートである。
【図１２】所在管理機能部の動作フローチャートである。
【図１３】フォーリンエージェント機能部の動作フローチャートである。
【図１４】フォーリンエージェント機能部の動作フローチャートである。
【図１５】本発明の実施例２の処理説明図である。
【図１６】本発明の実施例３の処理説明図である。
【図１７】本発明の実施例４の処理説明図である。
【符号の説明】
【００７０】
１−１，１−２  ホームターミナル
２  ＩＰ電話機
３，４  移動端末
５  電話機
６  インターネット
７  基地局
１０  ホームターミナル
１１  ホームエージェント機能部
１２  フォーリンエージェント機能部
１３  所在管理機能部
１４，１５，１６  データベース
１７  ターミナルディスプレイ
【図１】
2006042228.tif 000003
【図２】
2006042228.tif 000004
【図３】
2006042228.tif 000005
【図４】
2006042228.tif 000006
【図５】
2006042228.tif 000007
【図６】
2006042228.tif 000008
【図７】
2006042228.tif 000009
【図８】
2006042228.tif 000010
【図９】
2006042228.tif 000011
【図１０】
2006042228.tif 000012
【図１１】
2006042228.tif 000013
【図１２】
2006042228.tif 000014
【図１３】
2006042228.tif 000015
【図１４】
2006042228.tif 000016
【図１５】
2006042228.tif 000017
【図１６】
2006042228.tif 000018
【図１７】
2006042228.tif 000019